(57)【要約】【課題】組み付け作業性が良好な表示装置を提供する。【解決手段】表示パネル５１と、ホルダー５３と、フレキシブル配線板５４とを有する表示ユニット５と、本体部（スイッチ基板６１、スイッチ素子６２、操作ノブ６３）と、電気コード（接続部材）６４とを備えた電気機器６と、ケース１と、回路基板７とを備え、フレキシブル配線板５４及び電気コード６４が表示ユニット５とケース１の側壁との間を通じて回路基板７に電気接続されてなる表示装置において、ホルダー５３の、ケース１の側壁との対向壁面にフレキシブル配線板５４を収容保持する突出壁５６を設け、この突出壁５６に切り欠き部５８を設け、電気コード６４が切り欠き部５８とケース１の側壁との間に形成される隙間部Ｓを通り回路基板７に接続されている。【選択図】  図３
2009122323.tif 000002
【特許請求の範囲】
【請求項１】
表示パネルと、この表示パネルを保持するホルダーと、前記表示パネルから前記ホルダー外に引き出されるフレキシブル配線板とを有する表示ユニットと、
前記表示パネルの前方側に配置される本体部と、この本体部から引き出される接続部材とを備えた電気機器と、
前記表示ユニットを収納するケースと、
前記表示ユニットの背後に配置される回路基板とを備え、
前記フレキシブル配線板及び前記電気コードが前記表示ユニットと前記ケースの側壁との間を通じて前記回路基板に電気接続されてなる表示装置において、
前記ホルダーの前記側壁との対向壁面に前記フレキシブル配線板を収容保持する突出壁を設け、
この突出壁に切り欠き部を設け、
前記接続部材が前記切り欠き部と前記側壁との間に形成される隙間部を通り前記回路基板に接続されていることを特徴とする表示装置。
【請求項２】
前記ケースに前記接続部材と前記回路基板との接続箇所を視認可能とする開口部と、この開口部を塞ぐ覆い部とを設けたことを特徴とする請求項１記載の表示装置。
【請求項３】
前記覆い部がヒンジ部を介して前記ケースに連なることを特徴とする請求項２記載の表示装置。
【発明の詳細な説明】
【技術分野】
【０００１】
本発明は、例えば車両に搭載される表示装置に関し、特に表示パネルの前方に他の表示器やスイッチ、発光器等の電気機器を配置してなる表示装置に関するものである。
【背景技術】
【０００２】
表示装置として、例えば特許文献１に記載されたものが知られている。この表示装置は、表示ユニットと、この表示ユニットを収納するケースと、表示ユニットの背後に配置される回路基板とを備えている。表示ユニットは、液晶からなる表示パネルと、この表示パネルを保持するホルダーと、表示パネルからホルダー外に引き出されるフレキシブル配線板とを有し、フレキシブル配線板の端部は、ホルダーとケースとの間を通って回路基板側に引き回されて電気接続されている。
【０００３】
ところでこの種の表示装置にあっては、表示パネルの前方に他の表示器やスイッチ、発光器等の本体部と電気コード（接続部材）とで構成される電気機器を配置する場合があり、この場合、電気コードは、フレキシブル配線板と同様に、ホルダーとケースとの間を通って回路基板側に引き回されて電気接続される。
【特許文献１】特開２００７−１７４０４号公報
【発明の開示】
【発明が解決しようとする課題】
【０００４】
しかしながら、表示パネルの前方に電気機器を配置してなる表示装置の場合、表示ユニットをケースに収納した状態で表示パネルの前方に電気機器を配置した後、ホルダーとケースとの隙間から電気コードを回路基板側に案内しなければならないため、回路基板への接続位置が視認できず、組み付け作業性が悪いといった問題があった。
【０００５】
本発明は前述した問題点に着目し、組み付け作業性が良好な表示装置の提供を目的とする。
【課題を解決するための手段】
【０００６】
本発明は、前述した課題を解決するため、表示パネルと、この表示パネルを保持するホルダーと、前記表示パネルから前記ホルダー外に引き出されるフレキシブル配線板とを有する表示ユニットと、前記表示パネルの前方側に配置される本体部と、この本体部から引き出される接続部材とを備えた電気機器と、前記表示ユニットを収納するケースと、前記表示ユニットの背後に配置される回路基板とを備え、前記フレキシブル配線板及び前記電気コードが前記表示ユニットと前記ケースの側壁との間を通じて前記回路基板に電気接続されてなる表示装置において、前記ホルダーの前記側壁との対向壁面に前記フレキシブル配線板を収容保持する突出壁を設け、この突出壁に切り欠き部を設け、前記接続部材が前記切り欠き部と前記側壁との間に形成される隙間部を通り前記回路基板に接続されていることを特徴とする。
【０００７】
また本発明は、前記ケースに前記接続部材と前記回路基板との接続箇所を視認可能とする開口部と、この開口部を塞ぐ覆い部とを設けたことを特徴とする。
【０００８】
また本発明は、前記覆い部がヒンジ部を介して前記ケースに連なることを特徴とする。
【発明の効果】
【０００９】
本発明によれば、初期の目的を達成することができ、組み付け作業性が良好な表示装置を提供することができる。
【発明を実施するための最良の形態】
【００１０】
以下、本発明が適用された実施の形態について添付図面を用いて説明する。
【００１１】
図１〜図５は、本発明を例えば自動車用計器からなる表示装置に適用した場合を示すものである。図１は本実施形態による表示装置の正面図、図２は図１のＡ−Ａ断面図、図３は図１のＢ−Ｂ断面図、図４はケースと見返し板と透明カバーを除いた要部側面図、図５はケースと見返し板と透明カバーを除いた要部平面図である。
【００１２】
本実施形態による表示装置は、図１〜図３に示すように、ケース１と、見返し板２と、透明カバー３と、計器ユニット４と、表示ユニット５と、電気機器６と、回路基板７とを備えている。
【００１３】
ケース１と、見返し板２と、透明カバー３は、各々が合成樹脂からなり、計器ユニット４と、表示ユニット５と、電気機器６と、回路基板７とを収納保持するハウジングを構成するものである。
【００１４】
計器ユニット４は、例えばスピードメータやタコメータからなり、指針と文字板とを備えている。
【００１５】
表示ユニット５は、各計器ユニット４の間に配置され、表示パネル５１と、バックライト５２と、ホルダー５３と、フレキシブル配線板５４と、取付板５５とを備えている。
【００１６】
表示パネル５１は、任意形式の液晶表示パネルを適用することができる。
【００１７】
バックライト５２は、光源基板上に配置された複数の光源からなり、表示パネル５１を照明する。
【００１８】
ホルダー５３は、表示パネル５１を支持すると共に、バックライト５２を収納する合成樹脂枠体からなり、フレキシブル配線板５４の引き出し側であってケース１の側壁と対向する対向壁面には、フレキシブル配線板５４を収容保持する突出壁５６が形成されている。
【００１９】
この突出壁５６は、断面略「Ｌ」字状に形成され、その底壁にはフレキシブル配線板５４を回路基板７側に導出するための挿通部５７と、後述する電気コードに対応した切り欠き部５８（図４参照）とを有している。
【００２０】
フレキシブル配線板５４は、一端が表示パネル５１に、他端が回路基板７に接続されると共に中間部が突出壁５６によって保持されている。またフレキシブル配線板５４の回路基板７側端部には、第１のコネクタＣ１が設けられ、回路基板７に搭載した第２のコネクタＣ２と挿入接続されている。
【００２１】
取付板５５は、合成樹脂からなり、表示パネル５１及びホルダー５３の所要部を覆うものである。なおこの取付板５５には、電気機器６のスイッチ基板の裏面に当接する支持突起５９が形成されている。
【００２２】
電気機器６は、本実施形態の場合、例えば表示パネル５１に表示されている情報内容を切り替えたり、リセットしたりするスイッチユニットであり、取付板５５の支持突起５９に背後が支持されるスイッチ基板６１と、このスイッチ基板６１上に配置された複数のスイッチ素子６２と、このスイッチ素子６２に対応して配置される複数の操作ノブ６３と、電気コード（接続部材）６４とからなり、操作ノブ６３を透明カバー３の外側から操作できるよう、見返し板２に取り付けられている。なお本実施形態ではスイッチ基板６１と、スイッチ素子６２と、操作ノブ６３とで本体部が構成される。
【００２３】
電気コード６４は、一端がスイッチ基板６１に、他端が回路基板７にそれぞれ電気接続されると共に中間部はホルダー５３の切り欠き部５８とケース１の側壁との間に形成される隙間Ｓを通って引き回されている。また電気コード６４の回路基板７側端部には、第３のコネクタＣ３が設けられ、回路基板７に搭載した第４のコネクタＣ４と挿入接続されている。
【００２４】
次に組み付け例について説明する。
まず、ケース１内に回路基板７、計器ユニット４、表示ユニット５を収納固定する。なお、この際、表示ユニット５は、ホルダー５３の突出壁５６を通じてフレキシブル配線板５４を保持した状態で、ケース１内に収納される。また、フレキシブル配線板５４の回路基板７との電気接続は、表示ユニット５を収納後に、コネクタＣ１をコネクタＣ２に挿入することにより行われる。ここで、ケース１の側壁には、開口部１１と、この開口部１１を塞ぐ覆い部１２とが形成され、この際、覆い部１２は、薄肉となるヒンジ部１３を基点として回転することで、開口部１１を開放及び被覆可能に設けられている。そしてコネクタＣ１のコネクタＣ２への挿入は、覆い部１２を開放することで、作業者が目視しながら挿入接続できるように構成されている。覆い部１２は、第３のコネクタＣ３の第４のコネクタＣ４への接続が完了するまで開放状態とされる。
【００２５】
次にケース１の開口側に電気機器６が装着された見返し板２を装着する。この際、電気機器６が装着された見返し板２は、予め電気コード６４の先端に設けられた第３のコネクタＣ３を、ホルダー５３の前方側より隙間Ｓに挿通して、回路基板７側に通した後、ケース１の開口側に装着される。この際、ホルダー５３の切り欠き部５８は、電気コード６４をホルダ５３とケース１との間を通す際の目印となるものである。この後、開放状態の開口部１１を通じて作業者が目視しながら第３のコネクタＣ３を第４のコネクタＣ４に挿入接続し、次いで覆い部１２で開口部１１を被覆することで、見返し板２の組み付けが終了する。
【００２６】
最後に見返し板２の前方を透明カバーで覆って組み付けが完了する。
【００２７】
以上のように、本実施形態では、表示パネル５１と、この表示パネル５１を保持するホルダー５３と、表示パネル５１からホルダー５３外に引き出されるフレキシブル配線板５４とを有する表示ユニット５と、表示パネル５１の前方側に配置される本体部（スイッチ基板６１、スイッチ素子６２、操作ノブ６３）と、この本体部から引き出される電気コード６４とを備えた電気機器６と、表示ユニット５を収納するケース１と、表示ユニット５の背後に配置される回路基板７とを備え、フレキシブル配線板５４及び電気コード６４が表示ユニット５とケース１の側壁との間を通じて回路基板７に電気接続されてなる表示装置において、ホルダー５３の、ケース１の側壁との対向壁面にフレキシブル配線板５４を収容保持する突出壁５６を設け、この突出壁５６に切り欠き部５８を設け、電気コード６４が切り欠き部５８とケース１の側壁との間に形成される隙間部Ｓを通り回路基板７に接続されていることにより、ホルダー５３の切り欠き部５８を目印として、電気コード６４をホルダ５３とケース１との間に通すことができるため、組み付け作業性を向上させることができる。なお切り欠き部５８は、スイッチ基板６１から回路基板７の接続箇所である第４のコネクタＣ４に至る電気コード６４の引き回し経路中に位置する突出壁５６箇所であって、電気コード６４をホルダ５３とケース１との間に通す際の目印となれば任意の位置に設けることができる。
【００２８】
また本実施形態では、ケース１に電気コード６と回路基板７との接続箇所を視認可能とする開口部１１と、この開口部１１を塞ぐ覆い部１２とを設けたことにより、開口部１１を通じて電気コード６を回路基板７に接続できるので、組み付け作業性が更に向上すると共に、接続後は、覆い部１２にて開口部１１を塞ぐことができるので、ケース１内収納部品の保護とゴミなどの進入を防止することができる。
【００２９】
また本実施形態では、覆い部１２がヒンジ部１３を介してケース１に連なることにより、部品数の削減を達成することができる。
【００３０】
なお本実施形態では、電気機器６として、スイッチユニットを例示したが、回路基板７と電気接続されるものであれば、任意の電気機器を適用でき、例えば他の表示ユニットや発光式インジケータでもよい。また接続部材は電気コードに限らず、例えば他のフレキシブル配線板でもよい。
【図面の簡単な説明】
【００３１】
【図１】本発明の一実施形態による表示装置の正面図。
【図２】図１のＡ−Ａ断面図。
【図３】図１のＢ−Ｂ断面図。
【図４】本発明の一実施形態による表示装置においてケースと見返し板と透明カバーを除いた要部側面図。
【図５】本発明の一実施形態による表示装置においてケースと見返し板と透明カバーを除いた要部平面図。
【符号の説明】
【００３２】
１  ケース
２  見返し板
３  透明カバー
４  計器ユニット
５  表示ユニット
６  電気機器
７  回路基板
１１  開口部
１２  覆い部
１３  ヒンジ部
５１  表示パネル
５２  バックライト
５３  ホルダー
５４  フレキシブル配線板
５５  取付板
５６  突出壁
５７  挿通部
５８  切り欠き部
５９  支持突起
６１  スイッチ基板
６２  スイッチ素子
６３  操作ノブ
６４  電気コード（接続部材）
Ｃ１  第１のコネクタ
Ｃ２  第２のコネクタ
Ｃ３  第３のコネクタ
Ｃ４  第４のコネクタ
【図１】
2009122323.tif 000003
【図２】
2009122323.tif 000004
【図３】
2009122323.tif 000005
【図４】
2009122323.tif 000006
【図５】
2009122323.tif 000007